(57)【要約】      （修正有）【課題】フレキシブル部を形成するために外層基板を除去する際に、内層基板の外表面に設けたシールド部材が外層基板側に転写して剥がれるのを防止できる、リジッド・フレックス多層プリント配線板及びその製造方法を提供する。【解決手段】リジッド・フレックス多層プリント配線板は、硬質性を備えたリジッド部と屈曲性を備えたフレキシブル部とから構成され、前記リジッド部が多層構造をなすリジッド・フレックス多層プリント配線板であって、前記リジッド部と前記フレキシブル部が共通して用いる内層ＦＰＣ３０のうち、フレキシブル部として機能する領域上にシールド部材４０Ａ（４０Ｂ）が配され、さらに、フレキシブル部として機能する領域の周囲にはリジッド部に相当する部分と区分けする切欠部３１を有し、シールド部材が配されたフレキシブル部として機能する領域を、切欠部３１を介して保護部材７０により包み込むこと。【選択図】図２
2006165344.tif 000002
【特許請求の範囲】
【請求項１】
硬質性を備えたリジッド部と屈曲性を備えたフレキシブル部とから構成され、前記リジッド部が多層構造をなすリジッド・フレックス多層プリント配線板であって、
前記リジッド部と前記フレキシブル部が共通して用いる内層ＦＰＣのうち、前記フレキシブル部として機能する領域上にはシールド部材が配され、
さらに、前記フレキシブル部として機能する領域の周囲にはリジッド部に相当する部分と区分けする切欠部を有していることを特徴とするリジッド・フレックス多層プリント配線板。
【請求項２】
硬質性を備えたリジッド部と屈曲性を備えたフレキシブル部とから構成され、前記リジッド部が多層構造をなすリジッド・フレックス多層プリント配線板の製造方法であって、
前記リジッド部と前記フレキシブル部が共通して用いる内層ＦＰＣのうち、前記フレキシブル部として機能する領域上にシールド部材を形成する工程と、
前記フレキシブル部として機能する領域の周囲に、リジッド部に相当する部分と区分けする切欠部を形成する工程と、
前記シールド部材が配されたフレキシブル部として機能する領域を、前記切欠部を介して保護部材により包み込む工程と、
スリットで囲まれた領域αと他の領域βとからなる外層ＲＰＣを用い、前記領域αは前記シールド部材を包み込んだ保護部材と重なり、前記領域βは前記保護部材と重ならないように、前記内層ＦＰＣの上に前記外層ＲＰＣを形成する工程と、
前記外層ＲＰＣの領域αのみを前記内層ＦＰＣ上から除去する工程と、
前記保護部材を前記シールド部材が配されたフレキシブル部として機能する領域から取り外す工程と、
を少なくとも具備したことを特徴とするリジッド・フレックス多層プリント配線板の製造方法。
【発明の詳細な説明】
【技術分野】
【０００１】
本発明は、リジッド・フレックス多層プリント配線板及びその製造方法に係り、より詳細には、フレキシブル部の内層ＦＰＣ上から外層ＲＰＣを除去する際に、内層ＦＰＣに配したシールド部材が外層ＲＰＣに転写されるのを防止できるリジッド・フレックス多層プリント配線板及びその製造方法に関する。
【背景技術】
【０００２】
電子機器の軽薄短小化にともない、これに搭載されるプリント配線板には小型化、薄型化あるいは高性能化が求められている。プリント配線板には配線板が硬いもの［リジッド板（Rigid board）］と、折り曲げられる柔らかいもの［フレキシブル板（Flexible board or sheet）］がある。前者はリジッドプリント配線板と、後者はフレキシブルプリント配線板と呼称されるが、近年はフレキシブルプリント配線板の中でも、リジッド・フレックス多層プリント配線板と呼ばれるものが特に注目されている。
【０００３】
リジッド・フレックス多層プリント配線板は、部品実装性に優れる硬質性を備えたリジッド部と、設置自由度が高く可動性にも優れる可撓性を備えたフレキシブル部とから構成されており、リジッド部に例えば部品を搭載し、フレキシブル部をなすフレキシブル配線板をリジッド部の内部まで配置することにより、例えば１つのフレキシブル部を介して２つのリジッド部を電気的に直接接続する構造をもつことができる。ゆえに、可撓性をもつフレキシブル部と部品実装性に優れるリジッド部とが組み合わせた構造からなるリジッド・フレックス多層プリント配線板は、さまざまな電子機器の内部配線板として多岐にわたって利用されている。
【０００４】
ところで、近年になって電磁波障害に対する注目が高まり、電子機器から電磁波が外に漏れないようにする必要が出てきた。このため、筐体自身にシールド性能を持たせるなどの対策が行われている。しかし、その一方で基板自身に電磁波シールド性能を付与したものが求められている。
したがって、上記のようなリジッド・フレックス多層プリント配線板のケーブル部分においても、フレキシブル部の外表面には、シールド部材が設けられることがある。
【０００５】
まず、図５に模式的な断面図を示したリジッド・フレックス多層プリント配線板（以下、プリント配線板βとも呼ぶ）を例にとり、従来の一般的なシールド形成プロセスについて説明する。ただし、以下に示す（１）〜（８）の手順は汎用のものであり、この手順については若干前後しても構わないし、その内容についても何ら限定されるものではない。ここでは、８層Ｒ−Ｆプリント配線板を例として説明するが、８層構造に限定されるものではない。なお、図６はプリント配線板βにおいて使用する外層ＲＰＣの一例を示す模式的な断面図である、図７はプリント配線板βにおいて使用する最外層ＦＰＣの一例を示す模式的な断面図である。
【０００６】
（１）まず、リジッド部とフレキシブル部が共通して用いる内層ＣＣＬ１１０を用意する。内層ＣＣＬ１１０としては、例えば電気絶縁性のフレキシブル基材１１１の両面に回路として機能する導電部材１１２、１１３をそれぞれ設けたものが用いられる［図５（ａ）］。ここで、ＣＣＬとは銅張積層板（Copper-Clad Laminate）を意味する。
（２）次いで、この内層ＣＣＬ１１０の両面にそれぞれ、カバーレイ（以下、ＣＬとも呼ぶ）１２０Ａ（１２０Ｂ）を接着し（回路形成したＣＣＬにＣＬを熱プレスで貼り合わせ）、内層ＦＰＣ（以下、内層基板とも呼ぶ）１３０を得る［図５（ｂ）］。ここで、カバーレイ１２０Ａ（１２０Ｂ）は、電気絶縁性のフレキシブル基材１２１Ａ（１２１Ｂ）の片面に接着剤層１２２Ａ（１２２Ｂ）を設けたものである。なお、ＦＰＣとはフレキシブル配線板（Flexible Printed Circuit）を意味する。
【０００７】
（３）内層ＦＰＣ（以下、内層基板とも呼ぶ）１３０の外表面のうち、フレキシブル部となる領域を覆うようにそれぞれ、導電性ペーストと保護層からなるシールド部材１４０Ａ（１４０Ｂ）を設ける［図５（ｃ）］。
（４）外層ＲＰＣ（以下、外層基板とも呼ぶ）１６０として、電気絶縁性のリジッド基材１６１の両面に回路として機能する導電部材１６２、１６３を設けたものを用意する［図６（ａ）］。次の工程において、内層基板１３０上に外層基板１６０を設けた際に、フレキシブル部とリジッド部に相当する部分に区分けされるように、外層基板１６０にスリット部１８０を形成する［図６（ｂ）］。特に、１６０’はフレキシブル部に相当する部分である。ここで、ＲＰＣとはリジッド配線板（Rigid Printed Circuit）を意味する。
【０００８】
（５）内層基板１３０の上下面のうち、リジッド部に相当する部分にのみ設けた接着部材１５０Ａ（１５０Ｂ）を介して外層基板１６０Ａ（１６０Ｂ）を積層する（以下、第一の積層キュアとも呼ぶ）［図５（ｄ）］。これにより、ＦＰＣを含む内層基板１３０が、接着部材１５０Ａ（１５０Ｂ）を介してＲＰＣを含む２枚の外層基板１６０Ａ（１６０Ｂ）により挟まれた構造体が得られる。
（６）最外層ＦＰＣ１９０として、電気絶縁性のフレキシブル基材１９１の片面に導電部材１９２を設けたものを用意する［図７（ａ）］。次の工程において、外層基板１６０上に最外層ＦＰＣ１９０を設けた際に、外層基板１６０のうちリジッド部に相当する部分にのみ最外層ＦＰＣ１９０が載置されるように、最外層ＦＰＣ１９０に空孔１９０’を設ける加工を施す［図７（ｂ）］。
【０００９】
（７）外層基板１６０Ａ（１６０Ｂ）の外表面のうち、リジッド部に相当する部分の上に、接着剤層２００Ａ（２００Ｂ）を介して最外層ＦＰＣ１９０Ａ（１９０Ｂ）を積層する（以下、第二の積層キュアとも呼ぶ）［図５（ｅ）］。これにより、ＦＰＣを含む内層基板１３０が、接着部材１５０Ａ（１５０Ｂ）を介してＲＰＣを含む２枚の外層基板１６０Ａ（１６０Ｂ）により、さらに接着剤層２００Ａ（２００Ｂ）を介してＦＰＣを含む２枚の最外層ＦＰＣ１９０Ａ（１９０Ｂ）により挟まれた構造体が得られる。
（８）最後に、外層基板１６０Ａ（１６０Ｂ）から、フレキシブル部に相当する部分１６０Ａ’（１６０Ｂ’）を除去する［図５（ｆ）、矢印は除去を表す］。
【００１０】
上述した工程（１）〜（８）により、フレキシブル部の外表面のみにシールド部材を設けてなる、リジッド・フレックス多層プリント配線板（プリント配線板β）が得られる。  しかしながら、上記工程（８）においては、シールド部材１４０Ａ（１４０Ｂ）の一部１４０Ａ’（１４０Ｂ’）が、除去されたフレキシブル部に相当する部分１６０Ａ’（１６０Ｂ’）に転写して剥がれてしまい、シールド部材には欠陥１４０Ａ”（１４０Ｂ”）が発生してしまう問題があった。
【００１１】
本発明者らは、この現象が発生する理由は次のように考えている。すなわち、シールド部材１４０Ａ（１４０Ｂ）を形成した後の工程では、このシールド部材１４０Ａ（１４０Ｂ）の上に外層基板１６０Ａ（１６０Ｂ）を重ねて設ける。前述したとおり、その際には、プレス工程（加圧処理）が施される。このプレス工程において、シールド層に対してＲＰＣが押し付けられ、シールド層の一部が欠落してＲＰＣ表面に付着し、温度低下により固化した際には、この欠落したシールド層の部位はＲＰＣ表面と固着した状態となる。そのため、ＲＰＣを除去する際には、この欠落したシールド層の部位はＲＰＣ側に転写して剥がれた状態となり、シールド層には欠陥１４０Ａ”（１４０Ｂ”）が生じる。
【００１２】
このような欠陥１４０Ａ”（１４０Ｂ”）がシールド部材に発生すると、回路に電気信号を流した際に発生する電磁波が他の回路と干渉したり、欠陥から漏れた電磁波が他の物品に影響を与えることになる。すなわち、フレキシブル部の内部ＦＰＣが備える配線や回路が他の物品から十分に電磁波から遮断された状態が確保されないので、配線や回路を流れる電気信号に乱れが発生し、正確な信号伝送ができなくなる虞がある。
また、この欠陥が生じた箇所では配線や回路が外部空間に剥き出された状態にあるので、外部空間の変化（例えば温度や湿度の変化）による影響や外部空間に存在する電磁波の影響を受けやすくなり、稼働時における電気信号に揺らぎが発生し、ひいては高精度な電気信号の伝達が困難となる。
【００１３】
上述した課題を解決する手法として、以下に示す技術が知られている。
（Ａ）厚さ５μｍ以下のシールド層の上に、接着剤層と固定絶縁層を設ける構造により屈曲性を損なわずに良好なシールド特性が得られること（特許文献１）。
（Ｂ）可撓性が必要なフレキ回路において、アース回路の上面に導通用孔を設け、その導通用孔に導電性接着剤を充填して、アース回路パターンとシールド電極層を電気的に接続する構造（特許文献２）。
（Ｃ）回路の上に第１カバーレイ・シールド層、第２カバーレイを順に設けた構造（特許文献３）。
（Ｄ）絶縁フィルム、接着剤、回路パターン、接着剤、金属被膜、絶縁フィルムの順に構成され、回路パターンの任意の箇所から導電性ペーストで金属被膜に繋がっている構造（特許文献４）。
【００１４】
（Ｅ）回路上部に開口部を持つ絶縁樹脂層があり、その開口部に金属めっきを行い、銀ペーストなどの導電性被膜を施し、その上に絶縁樹脂層を有した構造（特許文献５）。
（Ｆ）シールド層を両面板の上面と下面に分け、必要な箇所にのみシールド層を設けることにより、総厚を薄くできる構造（特許文献６）。
（Ｇ）回路配線パターンの露出面の上部を絶縁被膜で覆い、さらにその上にシールド層を設けた構造（特許文献７）。
（Ｈ）リジッドフレックス（Ｒ−Ｆ）構造の多層板において、スルーホールの存在する箇所にシールド層を設けない構造（特許文献８）。
（Ｉ）Ｒ−Ｆ構造の多層板において、ヒンジ部の厚さを多層部の回路の厚さより薄くする構造（特許文献９）。
【００１５】
しかしながら、特許文献１〜７は何れも、単層板（片面板や両面板）を対象とした構造を開示しているに過ぎない。単層板は全ての加工が終わった後に、シールド層の加工ができるため、製造工程中にシールド層の保護等を考慮しなくてもよい。
また、特許文献８〜９は、Ｒ−Ｆ構造の多層板に関するものではあるが、上述したシールド層の転写を防ぐ方法については全く記載が見られない。
【特許文献１】特開平５−３３９５号公報
【特許文献２】特開平６−２２４５８７号公報
【特許文献３】特許第３４３４０２１号公報
【特許文献４】特開平７−２８３５７９号公報
【特許文献５】特開平１１−１７７１９２号公報
【特許文献６】特開２００２−１７６２３１号公報
【特許文献７】特開２００４−１１９６０４号公報
【特許文献８】特開平７−７９０８９号公報
【特許文献９】特開平７−１０６７６６号公報
【発明の開示】
【発明が解決しようとする課題】
【００１６】
本発明は上記事情に鑑みてなされたもので、フレキシブル部を形成するために外層基板を除去する際に、内層基板の外表面に設けたシールド部材が外層基板側に転写して剥がれるのを防止できる、リジッド・フレックス多層プリント配線板及びその製造方法を提供することを目的とする。
【課題を解決するための手段】
【００１７】
本発明の請求項１に係るリジッド・フレックス多層プリント配線板は、
硬質性を備えたリジッド部と屈曲性を備えたフレキシブル部とから構成され、前記リジッド部が多層構造をなすリジッド・フレックス多層プリント配線板であって、
前記リジッド部と前記フレキシブル部が共通して用いる内層ＦＰＣのうち、前記フレキシブル部として機能する領域上にはシールド部材が配され、
さらに、前記フレキシブル部として機能する領域の周囲にはリジッド部に相当する部分と区分けする切欠部を有していることを特徴とする。
【００１８】
本発明の請求項２に係るリジッド・フレックス多層プリント配線板の製造方法は、
硬質性を備えたリジッド部と屈曲性を備えたフレキシブル部とから構成され、前記リジッド部が多層構造をなすリジッド・フレックス多層プリント配線板の製造方法であって、
前記リジッド部と前記フレキシブル部が共通して用いる内層ＦＰＣのうち、前記フレキシブル部として機能する領域上にシールド部材を形成する工程と、
前記フレキシブル部として機能する領域の周囲に、リジッド部に相当する部分と区分けする切欠部を形成する工程と、
前記シールド部材が配されたフレキシブル部として機能する領域を、前記切欠部を介して保護部材により包み込む工程と、
スリットで囲まれた領域αと他の領域βとからなる外層ＲＰＣを用い、前記領域αは前記シールド部材を包み込んだ保護部材と重なり、前記領域βは前記保護部材と重ならないように、前記内層ＦＰＣの上に前記外層ＲＰＣを形成する工程と、
前記外層ＲＰＣの領域αのみを前記内層ＦＰＣ上から除去する工程と、
前記保護部材を前記シールド部材が配されたフレキシブル部として機能する領域から取り外す工程と、
を少なくとも具備したことを特徴とする。
【発明の効果】
【００１９】
本発明に係るリジッド・フレックス多層プリント配線板は、リジッド部とフレキシブル部が共通して用いる内層ＦＰＣのうち、前記フレキシブル部として機能する領域上には、シールド部材が配され、さらに、前記フレキシブル部として機能する領域の周囲にはリジッド部に相当する部分と区分けする切欠部を有しているので、内層ＦＰＣの上に外層ＲＰＣを積層する際に予め、シールド部材が配されたフレキシブル部として機能する領域を、前記切欠部を介して保護部材により包み込んでおくことができる。そのため、積層時に外層ＲＰＣがシールド部材に押し付けられても、シールド部材が配されたフレキシブル部として機能する領域は保護部材によって包み込まれているので、保護部材がシールド部材と対向する外層ＲＰＣの間に存在し、両者が物理的に接触するのを阻止する。ゆえに、本発明によれば、フレキシブル部を形成するために外層ＲＰＣの領域αを除去する際に、内層ＦＰＣの外表面に設けたシールド部材は保護部材を介して外力を受けるとともに、シールド部材は外層ＲＰＣの領域αと直接に接触している箇所が無いので、シールド部材が外層基板側に転写して剥がれるのを防止でき、その後、保護部材を取り外すことで、良好なシールド特性を有したリジッド・フレックス多層プリント配線板が得られる。
しかも、保護部材自体にクッション層としての効果があるため、外層基板からの応力を緩和させることが可能であり、フレキシブル部への力学的損傷を低減することができる。
【００２０】
本発明に係る製法は、フレキシブル部として機能する領域上にシールド部材を形成後、内層ＦＰＣの上に外層ＲＰＣを形成する前に、フレキシブル部として機能する領域の周囲に、リジッド部に相当する部分と区分けする切欠部を形成する工程と、前記シールド部材が配されたフレキシブル部として機能する領域を、前記切欠部を介して保護部材により包み込む工程と、を備えることにより、前述した構成のリジッド・フレックス多層プリント配線板を作製できる。この構成は、保護部材として、シールド部材の形成後に離型性に優れた材料を使用することにより、シールド部材が配されたフレキシブル部として機能する領域を包み込むと共に、取り外しが容易となるように巻きつけた保護部材で保護した形態が得られる。ゆえに、上記工程を少なくとも備えたこの製法は、本発明に係るリジッド・フレックス多層プリント配線板の提供に寄与する。
【発明を実施するための最良の形態】
【００２１】
以下では、本発明に係るリジッド・フレックス多層プリント配線板の一実施形態を図面に基づいて説明する。
【００２２】
図１及び図２は、本発明に係るリジッド・フレックス多層プリント配線板を作製する手順の一例を示す模式的な断面図であり、分かりやすいように構成要素を適宜誇張して描いてある。図３は、図２のリジッド・フレックスプリント配線板を構成する外層ＲＰＣの製造方法の一例を示す模式的な断面図である。図４は、図２のリジッド・フレックスプリント配線板を構成する最外層ＦＰＣの製造方法の一例を示す模式的な断面図である。
【００２３】
本発明のリジッド・フレックス多層プリント配線板は、図２（ｄ）に示すように、特にシールド部材と保護部材を利用する点が特徴である。ここでは、図１及び図２において、内層ＦＰＣ（内層基板）３０の上面側及び下面側の両面にシールド部材４０Ａ，４０Ｂを設け、全体を保護部材として離型性を有するフィルム（以下、離型フィルムとも呼ぶ）７０で包み込む作用・効果について述べるが、上面側または下面側の何れか一方だけにシールド部材４０Ａまたは４０Ｂを設ける場合も同様である。
【００２４】
本発明のリジッド・フレックス多層プリント配線板は、図２（ｄ）に示すように、シールド部材４０Ａ，４０Ｂは離型フィルム７０により包み込むように被覆され、取り外し容易な形態で用いられる。外層ＲＰＣ６０Ａが内層ＦＰＣに積層された際、外層ＲＰＣ６０Ａはシールド部材４０Ａに押し付けられるが、図２（ｂ）に示すように、離型フィルム７０がシールド部材４０Ａと対向する外層ＲＰＣ６０Ａ’の間に存在するので、両者の物理的な接触が回避できる。そのため、外層ＲＰＣ６０Ａ’を取り除いた際に、シールド部材４０Ａが外層ＲＰＣ６０Ａ’に転写されるのを防止できる。
【００２５】
離型フィルム７０で包み込む箇所は、シールド部材が配されたフレキシブル部として機能する領域であり、図２では内層ＦＰＣ３０の上面側及び下面側の両面にシールド部材が配されているが、内層ＦＰＣ３０の上面側または下面側の何れか一方の面にシールド部材が配されていれば、他方の面にシールド部材が配されていなくても構わない。
シールド部材４０Ａとしては、導電性ペースト（例えば、銀ペースト：藤倉化成社製のドータイトＦＡ−３２３）に保護層（例えば、カーボンブラック：東洋インキ製造社製のSS Fujikura Black ）をコーティングした二層構造のものが好適に用いられ、その作製法としては、塗布、塗工、スパッタ、エアーブロー（吹き付け）等が挙げられるが、他の方法を用いても構わない。
【００２６】
離型フィルム７０としては、シールド部材が配されたフレキシブル部として機能する領域を全体的に包み込むことができ、離型性を有するものであれば、特に材質的に制限されるものではない。例えばシリコーン系、フッ素系などの離型性に優れた組成の高分子材料（例えば、ＰＦＡ［パーフロロアルコキシ］フィルム）が使用できる。また、酸化チタンなどの金属材料や、カーボン・グラファイトといった無機材料も使用可能であり、それらの複合材料でもよい。
【００２７】
次に、その他の構成物を含めて、本発明に係る製法、すなわち内層ＦＰＣ３０の外表面上にシールド部材４０Ａ、４０Ｂを残存させてなるリジッド・フレックス多層プリント配線板を作製する方法について説明する。表１に、リジッド・フレックス多層プリント配線板の構成要素を纏めて示した。
離型フィルム７０については、テフロン（登録商標）フィルムを用いた場合を検討した。
【００２８】
【表１】
2006165344.tif 000003
【００２９】
この説明で用いるＣＣＬ、ＦＰＣ、ＲＰＣとは、銅張積層板（Copper-Clad Laminate）、フレキシブル配線板（Flexible Printed Circuit）、リジッド配線板（Rigid Printed Circuit）の略称である。
なお、この説明では、その他の構成物として一例のみ挙げているが、上述したシールド部材と保護部材との関係が満たされる限り、特にこれに限定されるものではない。
【００３０】
また、ここでは、リジッド・フレックス多層プリント配線板として８層プリント配線板を例にとりその製造方法を詳述するが、本発明に係るシール部材が配されたフレキシブル部として機能する領域を離型フィルムで全体的に包み込むことによる作用・効果を損なわない限り、８層に限定されるものではなく、以下に示す（１）〜（１０）の手順についてもこれに限定されるものではない。
【００３１】
（１）回路（不図示）を形成した内層ＣＣＬ１０を用意する。ポリイミドからなるフレキシブル基材１１の両面に銅箔１２、１３を設けたものを用い、銅箔１２、１３をエッチング処理することにより回路（不図示）を形成し、回路を設けた内層ＣＣＬ１０を得る［図１（ａ）］。
【００３２】
（２）内層ＣＣＬ１０の銅箔１２、１３面上にそれぞれ、カバーレイ２０Ａ、２０Ｂを接着する（回路形成したＣＣＬにＣＬを熱プレスで貼り合わせる）。ここでは、カバーレイ２０Ａ（２０Ｂ）として、ポリイミドからなるフレキシブル基材２１Ａ（２１Ｂ）の片面に接着剤層２２Ａ（２２Ｂ）を設けたものを用い、接着剤層２２Ａ（２２Ｂ）を介して内層ＣＣＬ１０を挟むようにカバーレイ２０Ａ（２０Ｂ）を重ねることにより内層ＦＰＣ（以下、内層基板とも呼ぶ）３０を得る［図１（ｂ）］。
【００３３】
（３）内層ＦＰＣ（内層基板）３０のうちフレキシブル部として機能する領域上にシールド部材４０Ａ，４０Ｂを形成する。シールド部材４０Ａ，４０Ｂとしては、銀ペースト（約８μｍ）からなる第一層に、カーボンブラック（約５μｍ）からなる第二層を積層したものを用いた［図１（ｃ）］。
【００３４】
（４）内層基板３０において、フレキシブル部として機能する領域の周囲に、リジッド部に相当する部分と区分けする切欠部３１を形成する［図１（ｄ）］。
【００３５】
（５）内層基板３０において、シールド部材４０Ａ，４０Ｂが配されたフレキシブル部として機能する領域に、前記切欠部３１を介して離型フィルム７０を巻きつけ、前記全体的に包み込む［図２（ａ）］。これにより、フレキシブル部に相当する部分においては、内層ＦＰＣ３０に設けたシールド部材４０Ａ（４０Ｂ）上に離型フィルム７０が被覆されることになる。
【００３６】
（６）内層基板３０とは別に、外層ＲＰＣ（以下、外層基板とも呼ぶ）６０として、電気絶縁性のリジッド基材６１の両面に回路として機能する導電部材６２、６３を設けたものを用意する［図３（ａ）］。次の工程において、内層基板３０上に外層基板６０を設けた際に、フレキシブル部とリジッド部に相当する部分に区分けされるように、外層基板６０にスリット部８０を形成する［図３（ｂ）］。これにより、フレキシブル部に相当する部分であるスリットで囲まれた領域α６０’と、他の領域βとからなる外層ＲＰＣ６０を得る［図３（ｂ）］。
【００３７】
（７）内層基板３０の上下面のうち、リジッド部に相当する部分にのみ設けた接着部材５０Ａ（５０Ｂ）を介して外層基板６０Ａ（６０Ｂ）を積層する（以下、第一の積層キュアとも呼ぶ）［図２（ｂ）］。一方、リジッド部に相当する部分においては、外層ＲＰＣの他の領域βが保護部材と重なることなく、接着部材５０Ａ（５０Ｂ）を介して内層ＦＰＣの上に設けられる。その結果、図２（ｂ）に示すように、ＦＰＣを含む内層基板３０が、接着部材５０Ａ（５０Ｂ）を介してＲＰＣを含む２枚の外層基板６０Ａ（６０Ｂ）により挟まれた構造体が得られる。
【００３８】
（８）最外層ＦＰＣ９０として、電気絶縁性のフレキシブル基材９１の片面に、回路として機能する導電部材９２を設けたものを用意する［図４（ａ）］。次の工程において、外層基板６０上に最外層ＦＰＣ９０を設けた際に、外層基板６０のうちリジッド部に相当する部分にのみ最外層ＦＰＣ９０が載置されるように、最外層ＦＰＣ９０に空孔９０’を設ける加工を施す［図４（ｂ）］。
【００３９】
（９）外層基板６０Ａ（６０Ｂ）の外表面のうち、リジッド部に相当する部分のみに設けた接着剤層１００Ａ（１００Ｂ）を介して最外層ＦＰＣ９０Ａ（９０Ｂ）を積層する（以下、第二の積層キュアとも呼ぶ）［図２（ｃ）］。これにより、ＦＰＣを含む内層基板３０が、接着部材５０Ａ（５０Ｂ）を介してＲＰＣを含む２枚の外層基板６０Ａ（６０Ｂ）により、さらに接着剤層１００Ａ（１００Ｂ）を介してＦＰＣを含む２枚の最外層ＦＰＣ９０Ａ（９０Ｂ）により挟まれた構造体が得られる。
【００４０】
（１０）そして、外層基板６０Ａ（６０Ｂ）から、フレキシブル部に相当する部分６０Ａ’（６０Ｂ’）を除去し、最後に、離型フィルム７０をシールド部材４０Ａ，４０Ｂが配されたフレキシブル部として機能する領域から取り外す［図２（ｄ）、矢印は除去を表す］。
以上の工程（１）〜（１０）により、保護部材として離型性に優れたテフロンフィルムを用いたプリント配線板を作製した。
【産業上の利用可能性】
【００４１】
本発明によれば、シールド部材と外層基板との間に保護部材を導入することにより、シールド部材の上に位置する外層基板を剥離した際に、シールド部材が外層基板側に転写して剥がれるのを防止できる。ゆえに、フレキシブル部の内部ＦＰＣが備える配線や回路の電気的な絶縁性が十分に確保されるとともに、外部空間の変化（例えば温度や湿度の変化）による影響や外部空間に存在する電磁波の影響も十分に回避できる。よって、本発明は、フレキシブル部の配線や回路を流れる電気信号の高精度化や高品質化をもたらし、さらには電気信号の安定性向上にも寄与する。
【図面の簡単な説明】
【００４２】
【図１】本発明に係るリジッド・フレックス多層プリント配線板を作製する手順の一例を示す模式的な断面図である。
【図２】図１に引き続き本発明に係るリジッド・フレックス多層プリント配線板を作製する手順の一例を示す模式的な断面図である。
【図３】図２のリジッド・フレックスプリント配線板を構成する外層ＲＰＣの製造方法の一例を示す模式的な断面図である。
【図４】図２のリジッド・フレックスプリント配線板を構成する最外層ＦＰＣの製造方法の一例を示す模式的な断面図である。
【図５】従来のリジッド・フレックス多層プリント配線板を作製する手順の一例を示す模式的な断面図である。
【図６】従来のリジッド・フレックスプリント配線板を構成する外層ＲＰＣの製造方法の一例を示す模式的な断面図である。
【図７】従来のリジッド・フレックスプリント配線板を構成する最外層ＦＰＣの製造方法の一例を示す模式的な断面図である。
【符号の説明】
【００４３】
１０…内層ＣＣＬ、１１…フレキシブル基材、１２，１３…銅箔（導電部材）、２０Ａ，２０Ｂ…カバーレイ、２１Ａ，２１Ｂ…フレキシブル基材、２２Ａ，２２Ｂ…接着剤層、３０…内層ＦＰＣ（内層基板）、３１…切欠部、４０Ａ，４０Ｂ…シールド部材、５０Ａ，５０Ｂ…接着剤層、６０Ａ，６０Ｂ…外層ＲＰＣ（外層基板）、６１…リジッド基材、６２，６３…導電部材、７０…離型フィルム（保護部材）、８０…スリット部、９０…最外層ＦＰＣ、９０’…空孔、９１…フレキシブル基材、９２…導電部材、１００…接着剤層。
【図１】
2006165344.tif 000004
【図２】
2006165344.tif 000005
【図３】
2006165344.tif 000006
【図４】
2006165344.tif 000007
【図５】
2006165344.tif 000008
【図６】
2006165344.tif 000009
【図７】
2006165344.tif 000010